(57)【要約】【課題】梱包箱の部品点数を少なくしつつ、強度を大きくすること。【解決手段】実施形態に係る梱包箱は、底壁と、第１側壁と、第２側壁とを備える。底壁は、矩形状に形成される。第１側壁は、底壁の対向する２組の辺のうち、一方の組の辺である第１辺から上方に向けて突出する。第２側壁は、底壁の対向する２組の辺のうち、他方の組の辺である第２辺から上方に向けて突出する。底壁には、第１辺の中央から第２辺に平行な第１折込部が形成される。第１側壁には、第１折込部の端から上方に沿って延びる第２折込部と、第２折込部に対して線対称であり、かつ第１折込部の端から斜め上方に沿って延びる第３折込部とが形成される。梱包時には、第１折込部は外側に向けて突出するように山折りされ、第２折込部は内側に向けて突出するように谷折りされ、かつ第３折り部は山折りされ、第１側壁では、第２折込部と第３折込部との間の面同士が当接する。【選択図】図４
2020138768.tif 000002
【特許請求の範囲】
【請求項１】
矩形状に形成された底壁と、
前記底壁の対向する２組の辺のうち、一方の組の辺である第１辺から上方に向けて突出する第１側壁と、
前記底壁の対向する２組の辺のうち、他方の組の辺である第２辺から上方に向けて突出する第２側壁と
を備え、
前記底壁には、前記第１辺の中央から前記第２辺に平行な第１折込部が形成され、
前記第１側壁には、
前記第１折込部の端から上方に向けて延びる第２折込部と、
前記第２折込部に対して線対称であり、かつ前記第１折込部の前記端から斜め上方に向けて延びる第３折込部とが形成され、
梱包時には、前記第１折込部は外側に向けて突出するように山折りされ、前記第２折込部は内側に向けて突出するように谷折りされ、かつ前記第３折込部は山折りされ、前記第１側壁では、前記第２折込部と前記第３折込部との間の面同士が当接する
ことを特徴とする梱包箱。
【請求項２】
前記第１側壁には、前記第２折込部に対して線対称であり、かつ前記第２折込部の上端から斜め下方に向けて延びる第４折込部が形成され、
折りたたみ時には、前記第４折込部は山折りされ、前記第２側壁は、前記第２辺を中心に前記底壁に向けて回転した倒れ状態にされる
ことを特徴とする請求項１に記載の梱包箱。
【請求項３】
前記第２側壁は、前記第３折込部よりも下方側であり、かつ前記第４折込部よりも上方側に形成される前記第１側壁の接着領域に接着される折込片を備える
ことを特徴とする請求項２に記載の梱包箱。
【請求項４】
前記第１辺に沿った前記折込片の長さは、前記第３折込部と前記第４折込部とが交差する箇所までの長さよりも長く、かつ前記第２折込部までの長さ以下である
ことを特徴とする請求項３に記載の梱包箱。
【請求項５】
前記第１側壁は、前記第３折込部の上端よりも上方に突出する突出部を備える
ことを特徴とする請求項１〜４のいずれか一つに記載の梱包箱。
【請求項６】
一方の前記第２側壁は、梱包時に、他方の前記第２側壁の下方に差し込まれる差し込み部を備える
ことを特徴とする請求項１〜５のいずれか一つに記載の梱包箱。
【発明の詳細な説明】
【技術分野】
【０００１】
開示の実施形態は、梱包箱に関する。
【背景技術】
【０００２】
従来、外箱の側壁に沿って内側部材を配置することで、側壁の強度を大きくする梱包箱が知られている（例えば、特許文献１参照）。
【先行技術文献】
【特許文献】
【０００３】
【特許文献１】特開２０１５−１０１３６７号公報
【発明の概要】
【発明が解決しようとする課題】
【０００４】
しかし、上記梱包箱は、内部部材が用いられるため、部品点数が多くなる。
【０００５】
実施形態の一態様は、部品点数を少なくしつつ、強度を大きくする梱包箱を提供することを目的とする。
【課題を解決するための手段】
【０００６】
実施形態の一態様に係る梱包箱は、矩形状に形成された底壁と、前記底壁の対向する２組の辺のうち、一方の組の辺である第１辺から上方に向けて突出する第１側壁と、前記底壁の対向する２組の辺のうち、他方の組の辺である第２辺から上方に向けて突出する第２側壁とを備え、前記底壁には、前記第１辺の中央から前記第２辺に平行な第１折込部が形成され、前記第１側壁には、前記第１折込部の端から上方に向けて延びる第２折込部と、前記第２折込部に対して線対称であり、かつ前記第１折込部の前記端から斜め上方に向けて延びる第３折込部とが形成され、梱包時には、前記第１折込部は外側に向けて突出するように山折りされ、前記第２折込部は内側に向けて突出するように谷折りされ、かつ前記第３折込部は山折りされ、前記第１側壁では、前記第２折込部と前記第３折込部との間の面同士が当接することを特徴とする。
【０００７】
梱包箱は、梱包状態における第１側壁の強度を大きくし、第１側壁が内側、および外側に向けて変形することを抑制することができる。また、梱包箱は、他の補強部材を設けることなく、強度を大きくすることができ、部品点数を少なくすることができる。
【０００８】
前記第１側壁には、前記第２折込部に対して線対称であり、かつ前記第２折込部の上端から斜め下方に向けて延びる第４折込部が形成され、折りたたみ時には、前記第４折込部は山折りされ、前記第２側壁は、前記第２辺を中心に前記底壁に向けて回転した倒れ状態にされることを特徴とする。
【０００９】
梱包箱を組み立て状態から折りたたみ状態に容易に変更することができ、梱包箱の折りたたみ作業を容易に行うことができる。また、梱包箱は、折りたたみ状態から組み立て状態に容易に変更することができ、梱包箱の組み立て作業を容易に行うことができる。
【００１０】
前記第２側壁は、前記第３折込部よりも下方側であり、かつ前記第４折込部よりも上方側に形成される前記第１側壁の接着領域に接着される折込片を備えることを特徴とする。
【００１１】
梱包箱は、組み立て状態から、折込片で邪魔されることなく、梱包状態、および折りたたみ状態とすることができる。
【００１２】
前記第１辺に沿った前記折込片の長さは、前記第３折込部と前記第４折込部とが交差する箇所までの長さよりも長く、かつ前記第２折込部までの長さ以下であることを特徴とする。
【００１３】
梱包箱は、折込片に伝票などを安定して貼ることができる。
【００１４】
前記第１側壁は、前記第３折込部の上端よりも上方に突出する突出部を備えることを特徴とする。
【００１５】
梱包箱は、梱包時に内側に突出する突出部によって梱包物を支持することができる。
【００１６】
一方の前記第２側壁は、梱包時に、他方の前記第２側壁の下方に差し込まれる差し込み部を備えることを特徴とする。
【００１７】
梱包箱は、例えば、梱包時に第２側壁同士をテープなどで固定せずに、梱包状態を保持することができる。
【発明の効果】
【００１８】
実施形態の一態様によれば、梱包箱の部品点数を少なくしつつ、強度を大きくすることができる。
【図面の簡単な説明】
【００１９】
【図１】図１は、第１実施形態に係る梱包箱の展開図である。
【図２】図２は、第１実施形態に係る梱包箱の組み立て状態を示す概略斜視図である。
【図３】図３は、第１実施形態に係る梱包箱を左方から見た概略側面図である。
【図４】図４は、組み立て状態から梱包状態とする場合の第１実施形態に係る梱包箱を示す図である。
【図５】図５は、組み立て状態から梱包状態にした場合の第１実施形態に係る梱包箱を左方から見た概略側面図である。
【図６】図６は、円筒状の梱包物を梱包した梱包箱を図４のVI-VI断面で切断した概略断面図である。
【図７】図７は、組み立て状態から折りたたみ状態とする場合の第１実施形態に係る梱包箱を示す図である。
【図８】図８は、第２実施形態に係る梱包箱の展開図である。
【図９】図９は、第２実施形態に係る梱包箱を左方から見た概略側面図である。
【図１０】図１０は、第２実施形態に係る梱包箱を梱包状態とする場合の第１側壁を示す概略側面図である。
【図１１】図１１は、有底状の梱包物を梱包した梱包箱を図４のVI-VI断面に対応する箇所で切断した概略断面図である。
【図１２】図１２は、第２実施形態に係る梱包箱を折りたたみ状態とする場合の第１側壁３ａを示す概略側面図である。
【図１３】図１３は、第２実施形態に係る梱包箱における折りたたみ状態の第１側壁付近を示す平面図である。
【図１４】図１４は、第３実施形態に係る梱包箱の展開図である。
【図１５】図１５は、第３実施形態に係る梱包箱を左方から見た概略側面図である。
【図１６】図１６は、組み立て状態から梱包状態とした場合の第３実施形態に係る梱包箱を左方から見た概略側面図である。
【発明を実施するための形態】
【００２０】
以下、添付図面を参照して、本願の開示する梱包箱の実施形態を詳細に説明する。なお、以下に示す実施形態によりこの発明が限定されるものではない。
【００２１】
まず、第１実施形態に係る梱包箱１について図１〜図３を参照し説明する。図１は、第１実施形態に係る梱包箱１の展開図である。図１では、各折込部２０、３０〜３２を含む折込線を破線で示している。図２は、第１実施形態に係る梱包箱１の組み立て状態を示す概略斜視図である。なお、図２では、梱包箱１の隠れ線を太い破線で示し、各折込部２０、３０〜３２を細い破線で示している。図３は、第１実施形態に係る梱包箱１を左方から見た概略側面図である。図３では、第２折込部３０、第３折込部３１および第４折込部３２を破線で示している。また、図３では、他の線と重なる第３折込部３１および第４折込部３２の一部をずらして示している。なお、他の図においても同様に、他の線と重なる第３折込部３１および第４折込部３２の一部をずらして示すことがある。
【００２２】
また、図２には、説明の便宜上、３次元の直交座標系を図示している。直交座標系においては、Ｘ軸の正方向を「前方」、負方向を「後方」と規定し、Ｙ軸の正方向を「左方」、負方向を「右方」と規定し、Ｚ軸の正方向を「上方」、負方向を「下方」と規定している。このため、以下の説明では、Ｘ軸方向を左右方向、Ｙ軸方向を前後方向、Ｚ軸方向を上下方向という場合がある。なお、直交座標系は、他の図においても図示する場合がある。
【００２３】
梱包箱１は、図１に示す薄板材、例えば、段ボールシートを折り曲げて形成される。すなわち、梱包箱１は、１枚の薄板材によって形成される。梱包箱１は、底壁２と、第１側壁３と、第２側壁４とを備える。
【００２４】
底壁２は、対向する２組の辺２ａ、２ｂを有する矩形状である。具体的には、底壁２は、前後方向に沿った一方の組の辺２ａ（第１辺）よりも左右方向に沿った他方の組の辺２ｂ（第２辺）が長い長方形である。底壁２には、前後方向の辺２ａの中央から左右方向に延びる第１折込部２０が形成される。第１折込部２０は、底壁２の辺２ｂに平行である。第１折込部２０は、底壁２の辺２ａ間を接続するように形成される。
【００２５】
第１側壁３は、底壁２の辺２ａから上方に向けて突出する。第１側壁３は、底壁２を挟んで対向するように一対形成される。第１側壁３は、長方形である。具体的には、第１側壁３は、前後方向の長さが、上下方向の長さの２倍となる長方形である。
【００２６】
第１側壁３には、底壁２に形成された第１折込部２０の左右方向の端から上方に向けて延びる第２折込部３０が形成される。すなわち、第２折込部３０は、第１側壁３の前後方向の中央に、上下方向に沿って形成される。
【００２７】
また、第１側壁３には、第１折込部２０の左右方向の端から斜め上方に向けて延びる第３折込部３１が形成される。すなわち、第３折込部３１は、第２折込部３０の下端から斜め上方に沿って形成される。第３折込部３１は、第２折込部３０に対して線対称となるように２本形成される。具体的には、一方の第３折込部３１は、第２折込部３０の下端から、第２折込部３０に対して４５度の角度で前方側に延びるように形成される。また、他方の第３折込部３１は、第２折込部３０の下端から、第２折込部３０に対して４５度の角度で後方側に延びるように形成される。
【００２８】
また、第１側壁３には、第２折込部３０の上端から斜め下方に向けて延びる第４折込部３２が形成される。第４折込部３２は、第２折込部３０に対して線対称となるように２本形成される。具体的には、一方の第４折込部３２は、第２折込部３０の上端から、第２折込部３０に対して４５度の角度で前方側に延びるように形成される。すなわち、一方の第４折込部３２は、第２折込部３０の上端と、第１側壁３の前方側の下端とを接続するように形成される。
【００２９】
また、他方の第４折込部３２は、第２折込部３０の上端から、第２折込部３０に対して４５度の角度で後方側に延びるように形成される。すなわち、他方の第４折込部３２は、第２折込部３０の上端と、第１側壁３の後方側の下端とを接続するように形成される。第４折込部３２は、第３折込部３１と直交する。
【００３０】
また、第１側壁３では、第３折込部３１よりも下方側であり、かつ第４折込部３２よりも上方側となる領域に接着領域が形成される。接着領域は、第１側壁３の上下方向に沿った前方の辺、または後方の辺と、第３折込部３１と、第４折込部３２とによって囲まれた三角形状の領域である。図１および図３では、接着領域をハッチングで示している。なお、他の図においても、接着領域をハッチングで示すことがある。
【００３１】
第１折込部２０〜第４折込部３２は、ミシン目加工や、半切り加工などが行われている。
【００３２】
第２側壁４は、底壁２の辺２ｂから上方に向けて突出する。第２側壁４は、底壁２を挟んで対向するように一対形成される。
【００３３】
一方の第２側壁４の上方には、差し込み部４０が形成される。例えば、差し込み部４０は、前方側の第２側壁４に形成される。差し込み部４０は、左右方向に沿って形成される。
【００３４】
また、第２側壁４の左右方向の両端には、折込片４１が形成される。折込片４１は、第１側壁３に向かい合うように形成される。前方の第２側壁４に形成された折込片４１は、後方に向けて折られ、第１側壁３に向かい合う。また、後方の第２側壁４に形成された折込片４１は、前方に向けて折られ、第１側壁３に向かい合う。
【００３５】
折込片４１は、三角形状に形成される。具体的には、折込片４１は、接着領域に対応する三角形状に形成される。
【００３６】
折込片４１は、第１側壁３よりも外側に設けられ、第１側壁３の接着領域と接着される。折込片４１は、例えば、接着剤や、両面テープによって接着領域に接着される。
【００３７】
次に、梱包箱１による梱包工程について図４および図５を参照し説明する。図４は、組み立て状態から梱包状態とする場合の第１実施形態に係る梱包箱１を示す図である。図５は、組み立て状態から梱包状態にした場合の第１実施形態に係る梱包箱１を左方から見た概略側面図である。図４および図５では、説明のため、第４折込部３２を省略する。また、図５では、谷折りされる第２折込部３０を二点鎖線で示し、山折りされる第３折込部３１を一点鎖線で示す。
【００３８】
組み立て状態から梱包状態とする場合には、梱包箱１は、底壁２に形成された第１折込部２０、第１側壁３に形成された第２折込部３０、および第３折込部３１を用いて、梱包状態にされる。
【００３９】
具体的には、第１折込部２０が山折りされる。また、第２折込部３０が谷折りされる。また、第３折込部３１が山折りされる。なお、ここでは、山折り、および谷折りは、外部から見た場合を基準にした折り方である。すなわち、山折りは、折込部が梱包箱１の外部に突出するように折られた状態であり、谷折りは、折込部が梱包箱１の内部に突出するように折られた状態である。
【００４０】
梱包箱１は、第１折込部２０、および第３折込部３１が山折りされ、第２折込部３０が谷折りされることで、第１側壁３の一部、具体的には、第３折込部３１に挟まれた箇所が、第２折込部３０の下端を中心に内側に向けて折り込まれ、第２折込部３０と第３折込部３１とに挟まれた第１側壁３同士が近接する。また、第１折込部２０を中心に梱包箱１の一部が回転する。例えば、第１折込部２０、および第２折込部３０よりも後方の梱包箱１が前方に向けて回転する。
【００４１】
そして、一方の第２側壁４に形成された差し込み部４０が、他方の第２側壁４の下方に差し込まれることで、梱包箱１は、梱包状態となる。
【００４２】
梱包状態の第１側壁３は、図５に示すように、正方形となる。また、梱包状態の第１側壁３では、第２折込部３０と第３折込部３１とに挟まれた箇所が互いに向かい合い当接し、梱包箱１の内部に向けて突出する。すなわち、梱包状態の第１側壁３では、第２折込部３０と第３折込部３１との間の面同士が当接する。そのため、梱包箱１は、梱包状態における左右方向の側壁を１つの第１側壁３を折り込むことで形成することができ、梱包状態における第１側壁３の強度を大きくすることができる。
【００４３】
また、梱包状態では、第２側壁４の折込片４１同士が当接する。これにより、梱包箱１は、第１側壁３における強度をさらに大きくすることができる。
【００４４】
また、梱包状態では、図６に示すように、第１側壁３の一部、具体的には第２折込部３０と第３折込部３１とに挟まれた箇所が第２折込部３０の端（組み立て状態における上端）を頂点として内側に向けて突出する。そして、第１側壁３の一部が、例えば、円筒状の梱包物１００に挿入される。これにより、梱包物１００を支持することができる。図６は、円筒状の梱包物１００を梱包した梱包箱１を図４のVI-VI断面で切断した概略断面図である。なお、第１側壁３には、梱包物１００の形状に合わせて切り込みなどが設けられてもよい。
【００４５】
次に、梱包箱１の折りたたみ工程について図７を参照し説明する。図７は、組み立て状態から折りたたみ状態とする場合の第１実施形態に係る梱包箱１を示す図である。図７では、説明のため、第１折込部２０〜第３折込部３１を省略する。
【００４６】
組み立て状態から折りたたみ状態とする場合には、第１側壁３に形成された第４折込部３２を用いて、梱包箱１は、折りたたみ状態にされる。具体的には、第４折込部３２が山折りされる。
【００４７】
梱包箱１は、第４折込部３２が山折りされることで、第１側壁３が底壁２の前後方向に沿った辺２ａを中心に外側に向けて回転する。また、第４折込部３２よりも上方の第１側壁３が第４折込部３２を中心に回転して折られ、第４折込部３２よりも下方の第１側壁３に近接する。また、第２側壁４は、底壁２の左右方向に沿った辺２ｂを中心に内側に向けて回転し、底壁２に近接する。すなわち、第２側壁４は、組み立て状態に対して内側に向けて回転した倒れ状態となる。このようにして、梱包箱１は、組み立て状態から、第１側壁３が外側に突出した折りたたみ状態となる。
【００４８】
上記するように、梱包箱１は、第１折込部２０〜第４折込部３２を折り込むことで、組み立て状態から梱包状態、または折りたたみ状態とすることができる。
【００４９】
なお、梱包箱１では折込片４１を第１側壁３よりも内側に設けてもよい。これにより、梱包状態において、内側に突出する第１側壁３を折込片４１によって挟持し、内側に突出する第１側壁３を折込片４１によって支持することができる。
【００５０】
次に、第１実施形態に係る梱包箱１の効果について説明する。
【００５１】
梱包箱１では、梱包時に、第１折込部２０、および第３折込部３１が山折りされ、第２折込部３０が谷折りされる。そして、第１側壁３の第２折込部３０と第３折込部３１との間の面同士が当接される。
【００５２】
これにより、梱包箱１は、梱包状態における第１側壁３の強度を大きくし、第１側壁３が内側、および外側に向けて変形することを抑制することができる。
【００５３】
また、梱包箱１は、他の補強部材を設けることなく、強度を大きくすることができ、部品点数を少なくすることができる。
【００５４】
また、梱包箱１は、梱包時に、内側に突出する第１側壁３の一部によって梱包物１００を支持することができる。そのため、梱包箱１は、例えば、梱包物１００を第１側壁３によって支持した状態で搬送することができ、搬送時の揺れなどによって梱包物１００が劣化することを抑制することができる。
【００５５】
また、梱包箱１では、折りたたみ時に、第４折込部３２が山折りされ、第２側壁４が底壁２の辺２ｂを中心に回転される。
【００５６】
これにより、梱包箱１を組み立て状態から折りたたみ状態に容易に変更することができ、梱包箱１の折りたたみ作業を容易に行うことができる。また、梱包箱１は、折りたたみ状態から組み立て状態に容易に変更することができ、梱包箱１の組み立て作業を容易に行うことができる。
【００５７】
また、梱包箱１には、第３折込部３１よりも下方側であり、第４折込部３２よりも上方側の第１側壁３に接着領域が形成され、接着領域に第２側壁４の折込片４１が接着される。
【００５８】
これにより、梱包箱１を、組み立て状態から梱包状態、または折りたたみ状態とする場合に、折込片４１で邪魔されることなく、梱包状態、または折りたたみ状態とすることができる。
【００５９】
また、梱包箱１には、一方の第２側壁４に差し込み部４０が形成され、梱包時に、差し込み部４０が他方の第２側壁４の下方に差し込まれる。
【００６０】
これにより、梱包箱１は、例えば、梱包時に第２側壁４同士をテープなどで固定せずに、梱包状態を保持することができる。
【００６１】
次に、第２実施形態に係る梱包箱１について図８および図９を参照し説明する。ここでは、第１実施形態とは異なる箇所を中心に説明し、第１実施形態と同じ構成についての説明は省略する。図８は、第２実施形態に係る梱包箱１の展開図である。図８では、各折込部２０、３０〜３２、３６を含む折込線を破線で示している。図９は、第２実施形態に係る梱包箱１を左方から見た概略側面図である。図９では、第２折込部３０、第３折込部３１、第４折込部３２および第５折込部３６を破線で示している。
【００６２】
第２実施形態に係る梱包箱１の一方の第１側壁３ａには、上方に向けて突出する突出部３５が形成される。突出部３５は、第３折込部３１の上端よりも上方に突出する。例えば、突出部３５は、前後方向の長さ（底辺の長さ）が上下方向の長さの２倍となる二等辺三角形である。
【００６３】
他方の第１側壁３ｂは、第１実施形態の第１側壁３と同じ形状である。なお、他方の第１側壁３ｂを、一方の第１側壁３ａと同じ形状としてもよい。
【００６４】
第１側壁３ａでは、第２折込部３０は、第４折込部３２との交点よりも上方まで延長して形成される。具体的には、第２折込部３０は、突出部３５の上端（頂点）まで形成される。
【００６５】
また、第１側壁３には、第２折込部３０と第４折込部３２との交点から後方に向けて第５折込部３６が形成される。具体的には、第５折込部３６は、第２折込部３０と第４折込部３２との交点から、第３折込部３１の上端まで形成される。第５折込部３６は、底壁２の辺２ａに平行である。第５折込部３６は、ミシン目加工や、半切り加工などが行われている。
【００６６】
なお、第５折込部３６は、第２折込部３０と第４折込部３２との交点から前方に向けて形成されてもよい。
【００６７】
組み立て状態から梱包状態とする場合には、第１側壁３は、図１０に示すように、第２折込部３０が山折りされ、第３折込部３１が谷折りされる。図１０は、第２実施形態に係る梱包箱１を梱包状態とする場合の第１側壁３ａを示す概略側面図である。図１０では、山折りされる第３折込部３１を一点鎖線で示し、谷折りされる第２折込部３０を二点鎖線で示す。また、図１０では、第４折込部３２、および第５折込部３６を省略している。
【００６８】
組み立て状態から梱包状態とする場合には、第１実施形態と同様に、第１折込部２０、および第３折込部３１が山折りされ、第２折込部３０が谷折りされることで、梱包箱１は、梱包状態となる。
【００６９】
第１側壁３ａに突出部３５が形成されており、梱包状態では、図１１に示すように、第１側壁３ａの一部、具体的には第２折込部３０と第３折込部３１とに挟まれた箇所が第１側壁３の突出部３５の頂点をして内側に向けて突出する。そして、第１側壁３ａの一部が、例えば、有底状の梱包物１０１に第１側壁３の一部を当接する。これにより、梱包物１０１を第１側壁３ａによって支持することができる。図１１は、有底状の梱包物１０１を梱包した梱包箱１を図４のVI-VI断面に対応する箇所で切断した概略断面図である。なお、第１側壁３ａの突出部３５の形状は、梱包物１０１の形状に合わせて設定することが可能である。
【００７０】
組み立て状態から折りたたみ状態とする場合には、第１側壁３は、図１２に示すように、第４折込部３２、および第２折込部３０の一部が山折りされ、第５折込部３６が谷折りされる。具体的には、第２折込部３０のうち、第４折込部３２との交点よりも上方の第２折込部３０が山折りされる。図１２は、第２実施形態に係る梱包箱１を折りたたみ状態とする場合の第１側壁３ａを示す概略側面図である。図１２では、山折りされる第４折込部３２、および第２折込部３０の一部を一点鎖線で示し、谷折りされる第５折込部３６を二点鎖線で示す。なお、図１２では、第２折込部３０の一部、および第３折込部３１を省略している。
【００７１】
梱包箱１は、第２折込部３０の一部、および第４折込部３２が山折りされることで、第１側壁３ａが底壁２の前後方向に沿った辺２ａを中心に外側に向けて回転する。また、第５折込部３６が谷折りされることで、突出部３５の内側の面同士が近接しつつ、突出部３５が第５折込部３６を中心に後方に向けて回転する。また、第２側壁４は、底壁２の左右方向に沿った辺２ｂを中心に内側に向けて回転し、底壁２に近接する。そして、図１３に示すように、突出部３５が後方を向いた折りたたみ状態となる。図１３は、第２実施形態に係る梱包箱１における折りたたみ状態の第１側壁３ａ付近を示す平面図である。
【００７２】
次に、第２実施形態に係る梱包箱１の効果について説明する。
【００７３】
梱包箱１では、第３折込部３１の上端よりも上方に突出する突出部３５が第１側壁３に形成される。これにより、梱包箱１は、梱包時に、内側に突出する突出部３５によって梱包物１０１を支持することができる。そのため、梱包箱１は、例えば、梱包物１０１を突出部３５によって支持した状態で搬送することができ、搬送時の揺れなどによって梱包物１０１が劣化することを抑制することができる。
【００７４】
次に、第３実施形態に係る梱包箱１について図１４および図１５を参照し説明する。ここでは、第１実施形態とは異なる箇所を中心に説明し、第１実施形態と同じ構成についての説明は省略する。図１４は、第３実施形態に係る梱包箱１の展開図である。図１４では、各折込部２０、３０〜３２を含む折込線を破線で示している。図１５は、第３実施形態に係る梱包箱１を左方から見た概略側面図である。図１５では、第２折込部３０、第３折込部３１および第４折込部３２を破線で示している。
【００７５】
第３実施形態に係る梱包箱１では、一方の第２側壁４ａの折込片４１ａが、矩形状に形成される。例えば、矩形状の折込片４１ａは、一方の第２側壁４ａの左右方向の両端に形成される。なお、矩形状の折込片４１ａは、一方の第２側壁４ａの左右方向の一端にのみ形成されてもよい。折込片４１ａは、第１側壁３の外側に折られ、第１側壁３の接着領域に接着される。
【００７６】
図１５に示すように、折込片４１ａの前後方向の長さＬは、第３折込部３１と第４折込部３２との交点までの長さＬ１よりも長く、第２折込部３０までの長さＬ２以下である。
【００７７】
なお、他方の第２側壁４ｂの折込片４１ｂは、第１実施形態の第１側壁３の折込片４１と同じ形状である。他方の第２側壁４ｂの折込片４１ｂは、第１側壁３の内側に折られ、第１側壁３の接着領域に接着される。
【００７８】
組み立て状態から梱包状態とする場合には、図１６に示すように、第２折込部３０が谷折りされ、第３折込部３１が山折りされる。図１６は、組み立て状態から梱包状態とした場合の第３実施形態に係る梱包箱１を左方から見た概略側面図である。図１６では、説明のため、第４折込部３２を省略し、山折りされる第３折込部３１を一点鎖線で示し、谷折りされる第２折込部３０を二点鎖線で示す。梱包箱１は、組み立て状態から梱包状態となることで、第１側壁３が折込片４１ａに覆われる。
【００７９】
なお、第３実施形態に係る梱包箱１において、折込片４１ａの形状は、矩形状に限定されない。折込片４１ａは、例えば、先端が円弧状であってもよい。
【００８０】
次に、第３実施形態に係る梱包箱１の効果について説明する。
【００８１】
梱包箱１では、前後方向の長さＬが、第３折込部３１と第４折込部３２との交点までの長さＬ１よりも長く、第２折込部３０までの長さＬ２以下である折込片４１ａが一方の第２側壁４ａに形成される。
【００８２】
これにより、梱包箱１は、折込片４１ａに伝票などを安定して貼ることができる。
【００８３】
なお、上記した第２実施形態と第３実施形態とを組み合わせて適用してもよい。
【００８４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８５】
１      梱包箱
２      底壁
２ａ    辺（第１辺）
２ｂ    辺（第２辺）
３      第１側壁
３ａ    第１側壁
３ｂ    第１側壁
４      第２側壁
４ａ    第２側壁
４ｂ    第２側壁
２０    第１折込部
３０    第２折込部
３１    第３折込部
３２    第４折込部
３５    突出部
３６    第５折込部
４０    差し込み部
４１    折込片
【図１】
2020138768.tif 000003
【図２】
2020138768.tif 000004
【図３】
2020138768.tif 000005
【図４】
2020138768.tif 000006
【図５】
2020138768.tif 000007
【図６】
2020138768.tif 000008
【図７】
2020138768.tif 000009
【図８】
2020138768.tif 000010
【図９】
2020138768.tif 000011
【図１０】
2020138768.tif 000012
【図１１】
2020138768.tif 000013
【図１２】
2020138768.tif 000014
【図１３】
2020138768.tif 000015
【図１４】
2020138768.tif 000016
【図１５】
2020138768.tif 000017
【図１６】
2020138768.tif 000018